【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
コンピュータによって実行されたときに、前記コンピュータに、
データベース・オブジェクトの要求を受信することであって、前記要求は、要求されたデータベース・オブジェクトをロードするターゲット・サブフォーム・コントロールへのパスを特定する第１のパラメータと、前記データベース・オブジェクトの名前を特定する第２のパラメータと、前記データベース・オブジェクトの型を特定する第３のパラメータとを有するＵＲＬ（ｕｎｉｆｏｒｍ  ｒｅｓｏｕｒｃｅ  ｌｏｃａｔｏｒ）を備えることと、
前記データベース・オブジェクトの前記要求を受信することに応答して、前記ＵＲＬの前記パラメータを用いて前記データベース・オブジェクトを特定し、前記要求されたデータベース・オブジェクトを前記サブフォーム・コントロール内に表示させることと、
マクロ動作を実行する要求を受信することと、
前記マクロ動作を実行する前記要求を受信することに応答して、前記ＵＲＬを更新して前記マクロ動作の実行を反映させることと
をさせるコンピュータ実行可能命令を有することを特徴とするコンピュータ記憶媒体。
【請求項２】
前記ＵＲＬが、現在のページとすべき前記データベース・オブジェクトのページを特定する第４のパラメータをさらに備えることを特徴とする請求項１に記載のコンピュータ記憶媒体。
【請求項３】
前記ＵＲＬが、前記データベース・オブジェクトのデータ・モードを特定する第５のパラメータをさらに備えることを特徴とする請求項２に記載のコンピュータ記憶媒体。
【請求項４】
前記データ・モードが、追加モード、編集モード、または読取専用モードを備えることを特徴とする請求項３に記載のコンピュータ記憶媒体。
【請求項５】
前記データベース・オブジェクトがデータベース・フォームまたはデータベース・レポートを備え、前記第３のパラメータが、前記データベース・オブジェクトがデータベース・フォームであるかデータベース・レポートであるかを特定することを特徴とする請求項３に記載のコンピュータ記憶媒体。
【請求項６】
前記ＵＲＬが、前記データベース・オブジェクトのレコード・ソースに対するｗｈｅｒｅ条件を指定する第６のパラメータをさらに備えることを特徴とする請求項３に記載のコンピュータ記憶媒体。
【請求項７】
前記マクロ動作は、フォームを開くためのマクロ動作を含み、
前記コンピュータによって実行されたときに、前記要求を受信することに応答して、前記コンピュータに前記ＵＲＬを更新して前記マクロ動作の実行を反映させる前記命令は、前記コンピュータによって実行されたときに、前記ＵＲＬを更新して前記フォームを開くことを反映することを含む
ことを特徴とする請求項３に記載のコンピュータ記憶媒体。
【請求項８】
前記マクロ動作は、レポートを開くためのマクロ動作を含み、
前記コンピュータによって実行されたときに、前記要求を受信することに応答して、前記コンピュータに前記ＵＲＬを更新して前記マクロ動作の実行を反映させる前記命令は、前記コンピュータによって実行されたときに、前記ＵＲＬを更新して前記レポートを開くことを反映することを含む
ことを特徴とする請求項３に記載のコンピュータ記憶媒体。
【請求項９】
前記マクロ動作は、レコードを表示するためのマクロ動作を含み、
前記コンピュータによって実行されたときに、前記要求を受信することに応答して、前記コンピュータに前記ＵＲＬを更新して前記マクロ動作の実行を反映させる前記命令は、前記コンピュータによって実行されたときに、前記ＵＲＬを更新して前記レコードを表示することを反映することを含む
ことを特徴とする請求項３に記載のコンピュータ記憶媒体。
【請求項１０】
前記マクロ動作は、データベース・オブジェクトを適所で閲覧するためのマクロ動作を含み、
前記コンピュータによって実行されたときに、前記要求を受信することに応答して、前記コンピュータに前記ＵＲＬを更新して前記マクロ動作の実行を反映させる前記命令は、前記コンピュータによって実行されたときに、前記ＵＲＬを更新して前記データベース・オブジェクトを適所に表示することを反映することを含む
ことを特徴とする請求項３に記載のコンピュータ記憶媒体。
【請求項１１】
前記コンピュータによって実行されたときに、前記コンピュータに、
ユーザ・インタフェース・コントロールからデータベース・オブジェクトを表示する要求を受信することと、
前記要求を前記ユーザ・インタフェース・コントロールから受信したことに応答して、前記データベース・オブジェクトを表示させ、前記ＵＲＬを更新して前記データベース・オブジェクトの表示を反映することと
をさせるコンピュータ実行可能命令をさらに有することを特徴とする請求項３に記載のコンピュータ記憶媒体。
【請求項１２】
前記ユーザ・インタフェース・コントロールがナビゲーション・コントロールを含むことを特徴とする請求項１１に記載のコンピュータ記憶媒体。
【請求項１３】
データベース・オブジェクトを適所に表示するためのコンピュータに実装された方法であって、
要求されたデータベース・オブジェクトをロードするターゲット・サブフォーム・コントロールへのパスを特定する第１のパラメータと、前記データベース・オブジェクトの名前を特定する第２のパラメータと、前記データベース・オブジェクトの型を特定する第３のパラメータとを含む、前記データベース・オブジェクトを適所に表示するためのマクロ動作を実行する要求を受信し、
前記データベース・オブジェクトの前記要求を受信することに応答して、前記パラメータを用いて前記データベース・オブジェクトを特定し、前記要求されたデータベース・オブジェクトを前記サブフォーム・コントロール内の適所に表示させ、前記ＵＲＬを更新して前記データベース・オブジェクトの表示を反映させる
ためのコンピュータに実装された動作を実施するステップを含むことを特徴とする方法。
【請求項１４】
前記要求が、前記データベース・オブジェクトが前記サブフォーム・コントロール内の適所に表示されたときに、現在のページとすべき前記データベース・オブジェクトのページを特定する第４のパラメータをさらに備えることを特徴とする請求項１３に記載のコンピュータに実装された方法。
【請求項１５】
前記要求は、前記データベース・オブジェクトのデータ・モードを特定する第５のパラメータをさらに備えることを特徴とする請求項１４に記載のコンピュータに実装された方法。
【請求項１６】
前記データ・モードは、追加モード、編集モードまたは読取専用モードを備えることを特徴とする請求項１５に記載のコンピュータに実装された方法。
【請求項１７】
前記データベース・オブジェクトは、データベース・フォームまたはデータベース・リポートを備え、前記第３のパラメータは前記データベース・オブジェクトがデータベース・フォームであるかデータベース・リポートであるかを特定することを特徴とする請求項１６に記載のコンピュータに実装された方法。
【請求項１８】
前記要求は、前記データベース・オブジェクトのレコード・ソースに対するｗｈｅｒｅ条件を指定する第６のパラメータを含むことを特徴とする請求項１７に記載のコンピュータに実装された方法。
【請求項１９】
プロセッサと、
前記プロセッサと通信するメモリであって、前記メモリは、前記プロセッサにより実行されたときに、前記プロセッサに、
データベース・オブジェクトの要求を受信することであって、前記要求は、要求されたデータベース・オブジェクトをロードするターゲット・サブフォーム・コントロールへのパスを特定する第１のパラメータと、前記データベース・オブジェクトの名前を特定する第２のパラメータと、前記データベース・オブジェクトの型を特定する第３のパラメータとを有するＵＲＬ（ｕｎｉｆｏｒｍ  ｒｅｓｏｕｒｃｅ  ｌｏｃａｔｏｒ）を含むことと、
前記データベース・オブジェクトの前記要求を受信することに応答して、前記ＵＲＬの前記パラメータを用いて前記データベース・オブジェクトを特定し、前記要求されたデータベース・オブジェクトを前記サブフォーム・コントロール内の適所に表示することと、
マクロ動作を実行する要求を受信することと、
前記マクロ動作を実行する前記要求を受信することに応答して、前記ＵＲＬを更新して前記マクロ動作の実行を反映することと
をさせる命令を含む、メモリと
を備えることを特徴とするコンピュータシステム。
【請求項２０】
前記マクロ動作は、フォームを開くためのマクロ動作、レポートを開くためのマクロ動作、レコードを表示するためのマクロ動作又はデータベース・オブジェクトを適所で閲覧するためのマクロ動作を備え、
前記命令は、前記プロセッサにより実行されたときに、前記要求を受信することに応答して、前記プロセッサに前記ＵＲＬを更新させ、前記マクロ動作を反映させる命令であって、
前記マクロ動作がフォームを開くためのマクロ動作を備える場合、前記プロセッサに前記ＵＲＬを更新させフォームを開くことを反映させ、
前記マクロ動作がレポートを開くためのマクロ動作を備える場合、前記プロセッサに前記ＵＲＬを更新させ前記レポートを開くことを反映させ、
前記マクロ動作がレコードを表示するためのマクロ動作を備える場合、前記プロセッサに前記ＵＲＬを更新させ前記レコードを表示することを反映させ、
前記マクロ動作がデータベース・オブジェクトを適所で閲覧するためのマクロ動作を備える場合、前記プロセッサに前記ＵＲＬを更新させ前記データベース・オブジェクトを適所で表示することを反映させる
命令を含むことを特徴とする請求項１９に記載のコンピュータシステム。